(57)【特許請求の範囲】
【請求項１】
積載した用紙束から用紙を１枚ずつ取り出す給紙部を複数並べて設け、この複数の給紙部から取り出した用紙を搬送しながら互いに重ね合わせる丁合装置において、下記の各構成を有することを特徴とする丁合装置。
（イ）各給紙部に設けられそれぞれの給紙部に用紙が積載されているか否かを検知する用紙有無検知手段。
（ロ）各給紙部１段ごとに丁合継続給紙部とするか否かを、処理前に予め設定可能な丁合継続給紙部選択手段。
（ハ）丁合継続給紙部以外の給紙部において用紙無しが検知された時は丁合動作を停止させ、丁合継続給紙部において用紙無しが検知された時は用紙無しが検知された給紙部以外の給紙部において給紙を継続するように制御する制御手段。
【請求項２】
請求項１記載の構成に加えて、
複数の丁合区分を設定可能な丁合区分設定手段と、
各丁合区分それぞれに区分カウント数を設定する区分カウント数設定手段とを有し、
各丁合区分に設定された区分カウント数分の丁合が完了するごとに丁合動作をいったん停止しながら、順次各丁合区分の丁合作業を行うように制御するとともに、前記丁合継続給紙部選択手段による丁合継続給紙部の選択を各区分の丁合作業開始前に行うことを可能とし、区分の丁合作業開始前に丁合継続給紙部の選択を行った場合には、その区分の丁合作業が完了すると、丁合継続給紙部の設定がクリアすることを特徴とする請求項１記載の丁合装置。
【請求項３】
前記丁合継続給紙部選択手段による丁合給紙部選択を、丁合動作中にも行うことができることを特徴とする請求項１または２のいずれか１項に記載の丁合装置。
【発明の詳細な説明】
【技術分野】
【０００１】
本発明は、複数の給紙部を丁合搬送路沿いに配置し、各給紙部より１枚ずつ給紙された用紙を丁合搬送路で重ね合わせ、１セットの用紙束を形成する丁合装置に関する。
【背景技術】
【０００２】
丁合搬送路沿いに配置された複数の給紙部に用紙の束を積載し、各給紙部より１枚ずつ用紙を取り出しながら丁合搬送路で重ね合わせ、１セットの用紙束を形成する丁合装置は、製本工程や新聞の折り込み広告束の作成に広く利用されている。
【０００３】
図１２はこのような丁合装置の一例として、背景技術の新聞広告用の丁合装置１０１を示す模式図である。
【０００４】
図１２に示すように、この背景技術の丁合装置１０１は、筐体２の図示左側において上下方向に並列して給紙部３ａ〜３ｊが、筐体２の図示右側において上下方向に並列して給紙部３ｋ〜３ｔが設けられ、それぞれの給紙部３に用紙（広告）の束が積載される。
【０００５】
図１３は、この背景技術の丁合装置１０１の給紙部３に用紙Ｐを積載した状態を示す模式図である。給紙部３には固定された給紙板４と、最上位の用紙Ｐの先端上面に圧接する給紙ローラ５と、この給紙ローラ５に下方から圧接するサバキ板６と、最上位の用紙Ｐの先端を給紙ローラ５とサバキ板６との間に進入させるための補助給紙ローラ７とが設けられ、給紙ローラ５と補助給紙ローラ７が駆動回転することにより、最上位の用紙Ｐを給送方向（矢印Ａ方向）に前進させる。このとき、給紙ローラ５と用紙Ｐ、用紙Ｐとサバキ板６、用紙Ｐ同士の、それぞれの摩擦係数の相違による作用によって、最上位の用紙Ｐは、２枚目以下の用紙Ｐと分離され、最上位の用紙１枚のみが、給紙ローラ５とサバキ板６との間を通り抜けて給送方向に前進する。給送された用紙Ｐはその先端が横搬送ローラ対８に挟持され、ガイド板９に導かれて縦搬送ローラ対１０に挟持され、矢印Ｂ方向に搬送される。また、この給紙部３には、用紙Ｐが積載されているか否かを検知する用紙有無検知手段であるセンサＳ１が設けられている。
【０００６】
図１２に示すように、並列配置された給紙部３それぞれに対応して設けられた縦搬送ローラ対１０と複数のガイド板とによって、筐体２の図示中央部に上下方向に丁合搬送路１１が形成されている。各給紙部３から供給された用紙Ｐは、その先端が揃うように、この丁合搬送路１１において重ね合わせられ、丁合束を形成しながら下方へ搬送される。
【０００７】
図示左方の最下位の給紙部３ａのさらに下方には、折給紙部１２が設けられており、給紙部３と同様に給紙ローラ、サバキ板等が設けらている。この折給紙部１２には用紙Ｐ１の束が積載されており、束の最上位の用紙Ｐ１のみを、図示右方向に給送する。すると用紙Ｐ１は折込板１３内に進入し、その先端がストッパ１４に当接していったん停止するとともに、丁合搬送路１１において重ね合わせられた用紙Ｐの束が、用紙Ｐ１の上面中央部に上方から当接する。このとき、ナイフ１５を備えたフラップ１６が、待機位置から折り込み位置に移動して、用紙Ｐ１にナイフ１５の先端を当接させることにより、当接した部分を折りローラ対１７にくわえ込ませ、用紙Ｐ１に折り目をつける。この時、用紙Ｐ１の折り目の内側に丁合搬送路１１より搬送されてきた用紙Ｐが挟まれた状態となる。折ローラ対１７を通過した用紙束は排紙搬送路１８を図示左方へ搬送され、排紙口１９から機外に排出されてスタッカ２０に積載される。
【０００８】
このようにして、折り給紙部１２から給送された用紙Ｐ１が二つ折りにされ、その折り目の内側に各給紙部３から給送された用紙Ｐの束が挿入された丁合束が形成される（例えば、特許文献１参照）。丁合装置をスタートすると、ＣＰＵ（図示せず）は一定の時間間隔ごとに給紙開始信号を発生して各給紙部３および折り給紙部１２に送信する。各給紙部３および折り給紙部１２はこの給紙開始信号を受信してから、それぞれの位置に応じた時間だけ遅らせたタイミングで給紙ローラ５を駆動開始し、用紙Ｐを給送する。その駆動開始のタイミングは、用紙Ｐが丁合搬送路１１で重なった時にその先端が揃うように設定されている。
【０００９】
丁合作業が進んで複数の給紙部３ａ〜３ｔのいずれかにおいて用紙Ｐがなくなると、センサＳ１によって用紙無しが検知され、丁合装置は停止する。停止後、用紙Ｐがなくなった給紙部３に用紙を積載して図示しないスタートボタンを押すと、丁合動作を再開することができる。
【特許文献１】特開２００２−３０７５号公報
【発明の開示】
【発明が解決しようとする課題】
【００１０】
しかし丁合作業においては、特定の用紙については、丁合の合計部数に満たないことがあり、特に新聞広告の場合、配達戸数に満たない広告が存在する場合がよくある。新聞広告は部数ベースで制作費がかかるので、広告主が必ずしも配達戸数分の部数を制作するとは限らないからである。このような広告は、配達戸数分作成した広告束のうち、その広告が含まれない束が一部存在することになる。例えば配達戸数が３００戸である場合、丁合装置において合計部数を３００部と設定して丁合作業を行い、３００部の丁合束を作成する。しかしこの中で２７０部しか制作されていない広告Ｐ２が存在する場合、この広告Ｐ２を含む束が２７０部、含まない束が３０部存在することになる。
【００１１】
このような広告束を背景技術の丁合装置で作成する場合、丁合装置において合計部数を３００部と設定して丁合作業を行うと、２７０部の丁合が終了した時点で広告Ｐ２を積載した給紙部３では用紙がなくなってしまうので、センサＳ１が紙無しを検知して丁合装置が停止してしまう。いったん停止すると、センサＳ１が紙無しを検知したままでは丁合作業が再開できないので、各給紙部に備えられたスイッチや操作パネルの操作等によって広告Ｐ２が積載されていたセンサＳ１の検知を無効としてから、再度丁合装置をスタートさせる必要があり、操作がわずらわしいという問題点があった。
【００１２】
さらにこのような配達戸数に満たない広告が複数種類存在すると、一旦停止後に再度スタートさせるためのスイッチ操作等をその種類分の回数行わなければならないので、非常に煩わしいという問題があった。
【００１３】
本発明はこのような問題点に鑑みてなされたもので、丁合装置において設定した合計部数に満たない部数の用紙が含まれていても、丁合途中でのスイッチ操作等が不要で操作性の良い丁合装置を提供することを目的とする。
【課題を解決するための手段】
【００１６】
第１の構成は、積載した用紙束から用紙を１枚ずつ取り出す給紙部を複数並べて設け、この複数の給紙部から取り出した用紙を搬送しながら互いに重ね合わせる丁合装置において、下記の各構成を有することを特徴とする丁合装置である。
（イ）各給紙部に設けられそれぞれの給紙部に用紙が積載されているか否かを検知する用紙有無検知手段。
（ロ）各給紙部１段ごとに丁合継続給紙部とするか否かを、処理前に予め設定可能な丁合継続給紙部選択手段。
（ハ）丁合継続給紙部以外の給紙部において用紙無しが検知された時は丁合動作を停止させ、丁合継続給紙部において用紙無しが検知された時は用紙無しが検知された給紙部以外の給紙部において給紙を継続するように制御する制御手段。
【００１７】
丁合総部数分の用紙が存在する給紙部において紙無しが検知された場合は補充が必要であるから、丁合装置は一旦停止しなければ支障をきたす。この第１の構成によれば、丁合総部数に満たない用紙が積載された給紙部を丁合継続給紙部に指定しておけば、丁合継続給紙部以外の給紙部では紙無しが検知されると丁合装置は一旦停止するので、補充が必要な用紙がなくなったまま丁合が継続することがなくなるので、使い勝手が良くなる。
【００１８】
第２の構成は、第１の構成に加えて、複数の丁合区分を設定可能な丁合区分設定手段と、各丁合区分それぞれに区分カウント数を設定する区分カウント数設定手段とを有し、各丁合区分に設定された区分カウント数分の丁合が完了するごとに丁合動作をいったん停止しながら、順次各丁合区分の丁合作業を行うように制御するとともに、前記丁合継続給紙部選択手段による丁合継続給紙部の選択を各区分の丁合作業開始前に行うことを可能とし、区分の丁合作業開始前に丁合継続給紙部の選択を行った場合には、その区分の丁合作業が完了すると、丁合継続給紙部の設定がクリアすることを特徴とする丁合装置である。
【００１９】
この第２の構成によれば、複数の配達地区ごとに部数を設定して順次丁合する場合でも、各地区において丁合継続給紙部選択が可能となる。
【００２０】
第３の構成は、丁合継続給紙部選択手段による丁合給紙部選択を、丁合動作中に行うことができることを特徴とする丁合装置である。
【００２１】
この第３の構成によれば、丁合動作が進行して用紙が残り少なくなり、紙無しが検知された時の補充が不要になってから丁合給紙部選択を行うことにより、補充が必要な用紙がなくなったまま丁合が継続することをより確実に防ぐことができる。
【発明の効果】
【００２２】
本発明のによれば、丁合装置において設定した合計部数に満たない部数の用紙が含まれていても、丁合途中でのスイッチ操作等を行うことなく丁合できるので、丁合装置の操作性が向上するという効果を奏する。
【発明を実施するための最良の形態】
【００２３】
以下、本発明を実施するための最良の形態を、図面を参照して説明する。なお、背景技術と同一の形状・機能を有する部材・構成には同一の符号を用い、その詳細な説明は省略する。
【００２４】
図１は本発明の実施形態の丁合装置１を示す模式正面図である。図１に示すように、この本発明の丁合装置１は、筐体２の図示左右にそれぞれ上下方向に並列して給紙部３ａ〜３ｊ、給紙部３ｋ〜３ｔが設けられ、それぞれの給紙部３に用紙Ｐの束が積載される。それぞれの給紙部３の構成は、背景技術の給紙部（図１３参照）と同一である。
【００２５】
すなわち図１３に示すように、給紙部３には固定された給紙板４と、最上位の用紙Ｐの先端上面に圧接する給紙ローラ５と、この給紙ローラ５に下方から圧接するサバキ板６と、最上位の用紙の先端を給紙ローラ５とサバキ板６との間に進入させるための補助給紙ローラ７とが設けられている。この給紙ローラ５と補助給紙ローラ７が駆動回転することにより、最上位の用紙は２枚目以下の用紙Ｐと分離されて給送方向（矢印Ａ方向）に前進し、横搬送ローラ対８に挟持され、ガイド板９に導かれて縦搬送ローラ対１０に挟持され、矢印Ｂ方向に搬送される。
【００２６】
給紙ローラ５は、それぞれ個別に独立制御可能なモータＭ（図２参照）により制御される。各給紙部には用紙有無検知センサＳ１が設けられており、用紙の束が積載されていれば、このセンサＳ１の腕部Ｓ１ａを用紙によって押し下げ、用紙が有ることを検知する。用紙がなくなると、適宜の付勢手段によって腕部Ｓ１の腕部Ｓ１ａが、用紙積載面に適宜設けられた開口を通して用紙積載面よりも上方に突出し、用紙が無いと認識するようになっている。
【００２７】
図１に示すように、図示中央部に上下方向に丁合搬送路１１が形成されていて、各給紙部３から供給された用紙はこの丁合搬送路１１において重ね合わせられ、丁合束を形成する。この丁合搬送路１１の下方には、折ローラ対１７、ナイフ１５を備えたフラップ１６、排紙搬送路１８が設けられ、その図示左方には折給紙部１２、図示右方には折込板１３、折給紙部１２の下方には排紙口１９、スタッカ２０が設けられている。これらの各部材の構成、機能は背景技術の丁合装置１０１と同一である。
【００２８】
まず、本発明の第１実施形態について説明する。図２は本発明の第１実施形態の丁合装置１を示すブロック図である。丁合装置１にはＣＰＵ５０（制御手段）が設けられ、このＣＰＵ５０では一定周期での基準信号を発生させ、各給紙部３ａ〜３ｔに送信する。各給紙部３ａ〜３ｔにおいてはこの基準信号に応じ、必要に応じて給紙ローラを駆動するモータＭａ〜Ｍｔを駆動開始し、用紙束のうち最上位の１枚を取り出す給紙動作を行う。このときモータＭａ〜Ｍｔの駆動開始タイミングを、給紙部の高さ位置に応じた時間だけ基準信号から遅らせることにより、上方に位置する給紙部から下方に向かって順次給紙ローラが駆動開始するので、丁合搬送路１１において先端が揃って合流するようになっている。
【００２９】
また、各給紙部３ａ〜３ｔにそれぞれ設けられた用紙有無検知センサＳ１ａ〜Ｓ１ｔの検知信号が、ＣＰＵ５０（制御手段）に送信可能になっている。さらに丁合装置１の各種設定を行う操作パネル６０が設けられ、この操作パネル６０上において、紙無し停止モードか、丁合継続モードかのモード選択を行う。すなわち、操作パネル６０はモード選択手段６０ｂを含み、これらの設定内容はＣＰＵ５０に送信可能になっている。また、操作パネル６０には、丁合装置１の丁合動作を開始させるスタートスイッチ６０ｃが設けられている。
【００３０】
図３は操作パネル６０の第１の例６０−１を示す図である。この操作パネル６０−１は、スタートスイッチ６０ｃ、丁合合計部数を表示する合計部数表示部６０ｄ、エラーが発生した箇所を表示するエラー表示部６０ｅ、各種数値の入力を行うテンキー６０ｆ、各種設定を切り替える切換えスイッチ群６０ｇ等によって構成される。モード選択手段６０ｂは、この切換えスイッチ群６０ｇのうちの一つであるスイッチ６０ｈとして設けられ、このスイッチ６０ｈの切換えにより、紙無し停止モードと丁合継続モードとが選択可能になっている。
【００３１】
図４は操作パネル６０の第２の例６０−１ａを示す図である。この操作パネル６０−１ａはタッチパネル式であって、適宜の操作によりモード選択画面６０ｋに切り替える。このモード選択画面６０ｋにおいて、紙無し停止モードキー６０ｍ、または丁合継続モードキー６０ｎにタッチすることにより、どちらかに設定される。
【００３２】
図５は紙無し停止モードにおける丁合装置の動作を示すフローチャートである。スタートスイッチ６０ｃを押して丁合装置１をスタートさせると、ＣＰＵ５０から給紙開始信号が各給紙部３に向けて発信される（ステップＳ１０１）。各給紙部３においては、給紙開始信号を受信してから、その位置に応じた時間だけ遅らせたタイミングでモータＭを駆動開始し、給紙ローラ５を回転させて用紙を１枚給送する（ステップＳ１０２）。その後、各給紙部３のいずれかにおいてセンサＳ１により紙無しが検知されたか否かを判断する（ステップＳ１０３）。いずれかの給紙部３で紙無しが検知された場合は、その時点で上方の給紙部からから下方の給紙部に向けて順次進行中の給紙動作を最下位の給紙部まで行ってから、丁合装置が停止する（ステップＳ１０４）。ステップＳ１０３において、いずれの給紙部３においても紙無しが検知されなかった場合はステップＳ１０１に戻り、次回の給紙動作を開始する。
【００３３】
図６は丁合継続モードにおける丁合装置の動作を示すフローチャートである。スタートスイッチ６０ｃを押して丁合装置１をスタートさせると、ＣＰＵ５０から給紙開始信号が各給紙部３に向けて発信される（ステップＳ２０１）。各給紙部３においては、給紙開始信号を受信してから、その位置に応じた時間だけ遅らせたタイミングでモータＭを駆動開始し、給紙ローラ５を回転させて用紙を１枚給送する（ステップＳ２０２）。その後、各給紙部３のいずれかにおいてセンサＳ１により紙無しが検知されたか否かを判断する（ステップＳ２０３）。いずれかの給紙部３で紙無しが検知された場合は、紙無しとなった給紙部３を給紙終了給紙部とする（ステップＳ２０４）。続いて全ての給紙部３が紙無しとなったかどうかが判断される（ステップＳ２０５）。全ての給紙部が紙無しとなった場合は、丁合動作を停止させる（Ｓ２０６）。ステップＳ２０３において、いずれの給紙部３においても紙無しが検知されなかった場合はステップＳ２０１に戻り、次回の給紙動作を開始する。また、ステップＳ２０５において、全ての給紙部３が紙無しとなってはいないと判断された場合はステップＳ２０１に戻り、次回の給紙動作を開始するとともに、ステップＳ２０２においては給紙終了給紙部ではモータＭの駆動は行わないようになる。すなわち用紙がなくなった給紙部は以後の動作を停止し、それ以外の給紙部において給紙動作が継続することになる。
【００３４】
続いて、本発明の第２の実施形態を図面を参照して説明する。図７は本発明の第２実施形態の丁合装置１を示すブロック図である。本図において第１実施形態と異なる点は、操作パネル６０において、モード選択手段６０ｂに代えて、丁合継続給紙部選択手段６０ｐを備えている点であり、その他の構成・作用は第１実施形態と同一である。
【００３５】
図８は本発明の第２実施形態に係る操作パネル６０の第１の例６０−２を示す図である。この操作パネル６０−２は、第１の実施形態の第１の例と同様に、スタートスイッチ６０ｃ、丁合合計部数を表示する合計部数表示部６０ｄ、エラーが発生した箇所を表示するエラー表示部６０ｅ、各種数値の入力を行うテンキー６０ｆ、各種設定を切り替える切換えスイッチ群６０ｇ等によって構成される。丁合継続給紙部選択手段６０ｐは、この切換えスイッチ群６０ｇのうち、複数の給紙部３ａ〜３ｔのそれぞれに対応したスイッチ６０ｇ−１〜６０ｇ−２０として設けられ、これらのスイッチ６０ｇ−１〜６０ｇ−２０の切換えにより、丁合継続給紙部を選択できるようになっている。すなわち、給紙部３ａに対応するスイッチ６０ｇ−１をＯＮとすれば給紙部３ａが丁合継続給紙部となり、給紙部３ｒに対応するスイッチ６０ｇ−１８をＯＮとすれば給紙部３ｒが丁合給紙部となる。複数の丁合給紙部を同時に設定することもできる。
【００３６】
図９は第２実施形態の操作パネル６０の第２の例６０−２ａを示す図である。この操作パネル６０−２ａはタッチパネル式であって、適宜の操作によりモード選択画面６０ｑに切り替える。このモード選択画面６０ｑにおいては、丁合装置が模式的に表示され、それぞれ給紙部３ａ〜３ｔに相当する給紙部キー６０ｒ−１〜６０ｒ−２０にタッチすることによって、タッチした給紙部が丁合継続給紙部となる。
【００３７】
図１０は本発明の第２実施形態の動作を示すフローチャートである。スタートスイッチ６０ｃを押して丁合装置１をスタートさせると、ＣＰＵ５０から給紙開始信号が各給紙部３に向けて発信される（ステップＳ３０１）。各給紙部３においては、給紙開始信号を受信してから、その位置に応じた時間だけ遅らせたタイミングでモータＭを駆動開始し、給紙ローラ５を回転させて用紙を１枚給送する（ステップＳ３０２）。その後、各給紙部３のいずれかにおいてセンサＳ１により紙無しが検知されたか否かを判断する（ステップＳ３０３）。いずれかの給紙部３で紙無しが検知された場合は、紙無しとなった給紙部３が丁合継続給紙部であるかどうかが判断される（ステップＳ３０４）。紙無しとなった給紙部３が丁合継続給紙部でないと判断された場合、その時点で上方の給紙部からから下方の給紙部に向けて順次進行中の給紙動作を最下位の給紙部まで行ってから、丁合装置が停止する（ステップＳ３１５）。ステップＳ３０４において、紙無しとなった給紙部３が丁合継続給紙部であると判断された場合は、紙無しとなった給紙部を給紙終了給紙部とする（ステップＳ３０５）。続いてステップＳ３０１に戻って次回の給紙動作を開始するとともに、ステップＳ３０２においては給紙終了給紙部ではモータＭの駆動は行わないようになる。すなわち用紙がなくなった丁合継続給紙部は以後の動作を停止し、それ以外の給紙部において給紙動作が継続することになる。ステップＳ３０３において、いずれの給紙部３においても紙無しが検知されなかった場合はステップＳ３０１に戻り、次回の給紙動作を開始する。
【００３８】
次に本発明の第３実施形態について説明する。本発明の第３実施形態に係る丁合装置では、複数の丁合区分を設定可能な丁合区分設定手段と、各丁合区分それぞれに区分カウント数を設定する区分カウント数設定手段とを有している。丁合装置をスタートさせると、各丁合区分に設定された区分カウント数分の丁合が完了するごとに丁合装置はいったん停止し、次の丁合区分に設定された区分カウント数が自動的に呼び出される。再度丁合装置がスタートすると、次の丁合区分の区分カウント数分の丁合が行われ、これが完了すると丁合装置は停止し、さらにその次の丁合区分に設定された区分カウント数が呼び出される、というように、丁合動作をいったん停止しながら、順次各丁合区分の丁合作業を行うようなっている。
【００３９】
そしてモード選択または丁合継続給紙部の設定を各区分の丁合作業開始前に行うことを可能とし、各区分の丁合作業が完了するごとに丁合継続給紙部の設定はクリアされる。各区分それぞれにおける動作は、第１実施形態もしくは第２実施形態と同一である。
【００４０】
次に本発明の第４実施形態について説明する。本発明の第４実施形態に係る丁合装置では、モード選択手段によるモード選択、または丁合継続給紙部選択手段による丁合給紙部選択、あるいはその両方を、丁合動作中に行うことができることを特徴とする丁合装置である。本実施形態では丁合装置が動作中に、例えば操作パネル６０に適宜設けられたスイッチ（例えば図３、図８参照）の操作により、紙無し停止モードから丁合継続モードへの変更、もしくは丁合継続給紙部への変更が可能である。
【００４１】
図１１はこの第４実施形態の第１の例の動作を示すフローチャートである。この第１の例は、丁合動作中にモード選択手段によるモード選択を可能とした例である。
【００４２】
まずスタートスイッチ６０ｃを押して丁合装置１をスタートさせると、ＣＰＵ５０から給紙開始信号が各給紙部３に向けて発信される（ステップＳ４０１）。各給紙部３においては、給紙開始信号を受信してから、その位置に応じた時間だけ遅らせたタイミングでモータＭを駆動開始し、給紙ローラ５を回転させて用紙を１枚給送する（ステップＳ４０２）。その後、各給紙部３のいずれかにおいてセンサＳ１により紙無しが検知されたか否かを判断する（ステップＳ４０３）。いずれかの給紙部３で紙無しが検知された場合は、次に丁合継続モードになっているかどうかを判断する（ステップ４０４）。丁合継続モードになっていないと判断された場合は、その時点で上方の給紙部からから下方の給紙部に向けて順次進行中の給紙動作を最下位の給紙部まで行ってから（ステップＳ４１５）、丁合装置が停止する（ステップＳ４０７）。ステップＳ４０４において、丁合継続モードになっていると判断された場合は、全ての給紙部３が紙無しとなったかどうかが判断される（ステップＳ４０６）。全ての給紙部が紙無しとなった場合は、丁合動作を停止させる（Ｓ４０７）。ステップＳ４０３において、いずれの給紙部３においても紙無しが検知されなかった場合はステップＳ４０１に戻り、次回の給紙動作を開始する。また、ステップＳ４０６において、全ての給紙部３が紙無しとなってはいないと判断された場合はステップＳ４０１に戻り、次回の給紙動作を開始するとともに、ステップＳ４０２においては給紙終了給紙部ではモータＭの駆動は行わないようになる。すなわち用紙がなくなった給紙部は以後の動作を停止し、それ以外の給紙部において給紙動作が継続することになる。
【００４３】
この動作により、丁合動作中に紙無し停止モードから丁合継続モードへの切換えを行う以前は、第１実施形態の紙無し停止モードと同一の動作をさせるとともに、丁合継続モードへの切換え以降は、第１実施形態の丁合継続モードと同一の動作をさせることができる。給紙部に積載できる用紙の量には限りがあり、丁合が必要な用紙をすべて積載できるわけではなく、用紙の残りが多いうちは、紙無しとなってから用紙を補充する必要がある。したがって用紙の残りが多いうちは紙無しとなった場合に確実に丁合装置を停止させて補給を可能とし、用紙の残りが少なくなってから丁合継続モードへ切り換えることにより、面倒なスイッチ操作等をなくすことができる。
【００４４】
また、この第４実施形態の第２の例は、丁合動作中に丁合継続給紙部選択手段による丁合継続給紙部の選択を可能とした例であるが、この第２の例の動作は図１０に示す第２実施形態の動作と同一である。丁合動作中の丁合継続給紙部の設定によって初めて丁合継続給紙部が出現するので、各給紙部３のいずれかにおいて紙無しが検知された場合は、その時点での設定状況に応じて、ステップ３０４の判断を行えばよい。
【００４５】
この動作により、用紙の残りが多いうちは紙無しとなった場合に確実に丁合装置を停止させて補給を可能とするとともに、用紙の量が少なくなってきたタイミングで、合計部数に満たない用紙が積載されている給紙部を選択して丁合継続給紙部に切り換えれば、その給紙部で用紙の給紙が完了して紙無しとなっても、他の給紙部での給紙を継続することができるので、スイッチ操作等の手間を省くことができる。
【００４６】
なお、各実施形態において、操作パネルはモード選択手段としてのキーまたはスイッチ類、もしくは丁合継続給紙部選択手段としてのキー又はスイッチ類を有していれば、どのような形態のものでも良い。第４実施形態においてタッチパネル式の操作パネルを用いても良い。タッチパネル式の操作パネルで丁合動作中のモード選択または丁合継続給紙部選択を可能とする場合は、丁合動作中もモード選択または丁合継続給紙部選択に要するキーを常に表示させておくのが良い。
【００４７】
本発明の第１，３，４実施形態において、モード選択手段は操作パネル以外に設けられていても良い。例えば、操作パネル以外の、ユーザの操作可能な場所にスイッチまたはボタン等として設けてあっても良い。
【００４８】
本発明の第２，３，４実施形態において、丁合継続給紙部選択手段は操作パネル以外に設けられていても良い。例えば、各給紙部３にそれぞれ隣接して設けた給紙部パネルにスイッチやボタン等を設け、これを操作することにより、対応する給紙部３が丁合継続給紙部となるようにしても良い。この形態によれば、給紙部との対応関係がわかりやすい、用紙の残り状況を見ながら操作が可能等のメリットがある。
【図面の簡単な説明】
【００４９】
【図１】本発明の丁合装置１を示す模式正面図である。
【図２】本発明の第１実施形態の丁合装置１を示すブロック図である。
【図３】本発明の第１実施形態の操作パネル６０の第１の例６０−１を示す図である。
【図４】本発明の第１実施形態の操作パネル６０の第２の例６０−１ａを示す図である。
【図５】本発明の第１実施形態の紙無し停止モードにおける丁合装置の動作を示すフローチャートである。
【図６】本発明の第１実施形態の丁合継続モードにおける丁合装置の動作を示すフローチャート
【図７】本発明の第２実施形態の丁合装置１を示すブロック図である。
【図８】本発明の第２実施形態の操作パネル６０の第１の例６０−２を示す図である。
【図９】本発明の第２実施形態の操作パネル６０の第２の例６０−２ａを示す図である。
【図１０】本発明の第２実施形態の動作を示すフローチャートである。
【図１１】本発明の第４実施形態の第１の例の動作を示すフローチャートである。
【図１２】背景技術の新聞広告用の丁合装置１０１を示す模式図である。
【図１３】背景技術の丁合装置１０１の給紙部３に用紙Ｐを積載した状態を示す模式図である。
【符号の説明】
【００５０】
３、３ａ〜３ｔ；給紙部
４；給紙板
５；給紙ローラ
１１；丁合搬送路
１８；排紙搬送路
２０；スタッカ
５０；ＣＰＵ
６０、６０−１、６０−１ａ、６０−２、６０−２ａ；操作パネル
６０ｂ；モード選択手段
６０ｃ；スタートスイッチ
６０ｄ；合計部数表示部
６０ｅ；エラー表示部
６０ｆ；テンキー
６０ｇ；スイッチ群
６０ｇ−１〜６０ｇ−２０；スイッチ
６０ｈ；スイッチ
６０ｋ；モード選択画面
６０ｍ；紙無し停止モードキー
６０ｎ；丁合継続モードキー
６０ｐ；丁合継続給紙部選択手段
６０ｑ；モード選択画面
６０ｒ−１〜６０ｒ−２０；給紙部キー
１０１；丁合装置
Ａ、Ｂ；矢印
Ｍ、Ｍａ〜Ｍｔ；モータ
Ｐ、Ｐ１；用紙
Ｐ２；広告
Ｓ１、Ｓ１ａ〜Ｓ１ｔ；センサ
【図１】
0004696217.tif 000002
【図２】
0004696217.tif 000003
【図３】
0004696217.tif 000004
【図４】
0004696217.tif 000005
【図５】
0004696217.tif 000006
【図６】
0004696217.tif 000007
【図７】
0004696217.tif 000008
【図８】
0004696217.tif 000009
【図９】
0004696217.tif 000010
【図１０】
0004696217.tif 000011
【図１１】
0004696217.tif 000012
【図１２】
0004696217.tif 000013
【図１３】
0004696217.tif 000014